(57)【要約】【課題】  想定以上の高い津波が襲来した場合にも避難ステージに避難した人々が流されずに助かりしかも津波が治まったあとでも一時避難生活を送ることができるようにした避難装置を提供することを目的とする。【解決手段】  複数本の支柱を梁で相互連結するとともに階段などの登降手段を備えて屋上の避難ステージに避難できるようにした避難装置において、前記避難ステージは避難ハウスとして耐津波構造として構築されていることを特徴とする。【選択図】図１
2013127193.tif 000002
【特許請求の範囲】
【請求項１】
複数本の支柱を梁で相互連結するとともに階段などの登降手段を備えて屋上の避難ステージに避難できるようにした避難装置において、前記避難ステージは避難ハウスとして耐津波構造として構築されていることを特徴とする避難装置。
【発明の詳細な説明】
【技術分野】
【０００１】  本発明は、津波や洪水などの非常事態の際に避難するようにした避難装置に関する。
【背景技術】
【０００２】  例えば、津波が襲来してきたときに近場に避難できるようにしたものとして鉄骨構造形式の津波避難施設がある。
【先行技術文献】
【特許文献】
【０００３】
【特許文献１】  特開２００７−２３９４５１
【発明の概要】
【発明が解決しようとする課題】
【０００４】  特許文献１のものは、複数本の支柱を横梁で連結するとともに階段を備えて屋上の避難ステージに避難できるようにしたものであるが、津波はその地域で想定した以上の高いものが襲来することがあるため、屋上の避難ステージに避難した人々は流されるおそれが多分にある。【０００５】  本発明は、このような問題を解決しようとするものであり、想定以上の高い津波が襲来した場合にも避難ステージに避難した人々が流されずに助かりしかも津波が治まったあとでも一時避難生活を送ることができるようにした避難装置を提供することを目的とする。
【課題を解決するための手段】
【０００６】  本発明は上記目的を達成するため、請求項１に記載の発明は、複数本の支柱を梁で相互連結するとともに階段などの登降手段を備えて屋上の避難ステージに避難できるようにした避難装置において、前記避難ステージは避難ハウスとして耐津波構造として構築されていることを特徴とする。
【発明の効果】
【０００７】  上述したように本発明は、複数本の支柱を梁で相互連結するとともに階段などの登降手段を備えて屋上の避難ステージに避難できるようにした避難装置において、前記避難ステージは避難ハウスとして耐津波構造として構築されていることを特徴とする避難装置であるので、想定以上の高い津波が襲来した場合にも避難ステージに避難した人々が流されずに助かりしかも津波が治まったあとでも一時避難生活を送ることができるようにした避難装置を提供することができる。
【図面の簡単な説明】
【０００８】
【図１】本発明の一実施形態を示す正面図。
【図２】他の実施形態を示す正面図。
【図３】他の実施形態を示す正面図。
【図４】他の実施形態を示す斜視図。
【図５】他の実施形態を示す側面図。
【図６】他の実施形態を示す側面図。
【図７】他の実施形態を示す正面図。
【図８】他の実施形態を示す図９の平面図。
【図９】図８の一部切欠正面図。
【図１０】他の実施形態を示す図１１の平面図。
【図１１】図１０の正面図。
【図１２】図１１の右側面図。
【図１３】他の実施形態を示す図１４の平面図。
【図１４】図１３の正面図。
【図１５】他の実施形態を示す斜視図。
【図１６】他の実施形態を示す図１７の平面図。
【図１７】図１６の正面図。
【図１８】図１７の右側面図。
【図１９】他の実施形態を示す斜視図。
【図２０】他の実施形態を示す図２１の平面図。
【図２１】図２０の縦断正面図。
【図２２】他の実施形態を示す縦断正面図。
【図２３】他の実施形態を示す図２４の横断面図。
【図２４】図２３の正面図。
【図２５】他の実施形態を示す図２６の平面図。
【図２６】図２５の正面図。
【図２７】図２６の底面図。
【図２８】図２６のＡ−Ａ線断面図。
【発明を実施するための形態】
【０００９】  以下、本発明の一実施形態を説明する。
各実施形態で説明する各案は他の関係する実施形態においても適用することができる。
図１は本発明の一実施形態を示す。同実施形態は、地盤５９内に埋設された基礎ブロック６０により立設された複数本の支柱６１…に上下複数段の横梁６２…を連結してタワー型とするとともに階段６３を設けて最上階の避難ハウス６４に津波避難することができるようにしたものにおいて、避難ハウス６４を屋根付きで全体が円筒体でなる密閉部屋型のものにして、避難時に寒さから守るようにしたもので、ソーラー発電や蓄電設備などによる床暖房も設備して対処するようにしたものである。
尚、同図の避難ハウス６４は上からみると円筒であるが右欄のように矩形や多角形でもよい。また、左欄のように円錐あるいは角錐形の屋根を有するものにしてもよい。６５は簡易リフターである。
【００１０】  図２の実施形態において、６７は地盤、６８は基礎ブロック、６９は支柱、７０は横梁、７１は階段を示し、このタワー型津波避難施設の最上階には床面を介して手摺７２が設けられて避難ステージ７３が形成されているとともに、避難ステージ７３の中央を介して円筒あるいは多面体などの避難ハウス７４を設けてソーラーパネル７５などからの電力により稼動する冷暖房設備を完備して対処するようにしてある。津波が想定高さを超えた場合には、手摺７２が第１段階の津波・しぶき避けとして機能するだけでなく、避難ハウス７４が津波後の一次避難生活を快適なものとする。避難ハウス７４は水密式で酸素ボンベやマスク、救命用具（浮きなど）７６…などを装備するので津波が越えてきたときにも安全である。床暖房を設備してもよい。７７はＡＥＤ（心肺蘇生用）、７８は簡易リフターである。同図左欄のように、避難ステージ７３は三角形などでもよい。また、避難ハウス７４は六角形や楕円形をしたものでもよい。
【００１１】  図３の実施形態において、８３は支柱、８４は横梁、８５は階段を示し、このタワー型津波避難施設の最上階には床面が設けられていてその上には右図に示すような円筒状の本体と円錐形屋根を備えた避難ハウス８６が設置されている。この避難ハウス８６は、想定以上に高く襲来してくる津波から避難者を守るとともにその後の一次避難を暖房設備などにより安全快適なものにする。８７は強化窓、８８は屋根開閉窓、８９は出入り口である。室内には津波が越えてきたときのために酸素吸入手段を装備したり備蓄用品や簡易トイレなども常備する。同図右下欄のように避難ハウス８６は多角形でもよい。
【００１２】  図４の実施形態は、津波が襲来したあとで一次的に津波避難ステージ上で待機したりする場合に冷たい風や雨、吹雪などに晒されて体調を損なったりしないように配慮したものである。即ち、９２は支柱、９３はステージ床、９４は階段、９５は手摺、９６は避難ステージを示し、この避難ステージ９６には、例えば、階段手摺９７上の空いたスペースを介してアルミ板などの防護立板９８…の複数枚が分離可能に締着固定されるとともに避難ステージ９６の手摺９５寄りには防護天板９９…が分離可能に締着固定されている。一方、手摺９５には同図右欄に示すように止着具１００が上下に複数突設されており、これらに挿し込むようにして各防護立板９８…をぐるり周りに配備する。防護天板９９…は、差込脚１０１を立上げてそれを防護縦板９８の差込孔１０２内に挿し込むことで取り付けられる。
【００１３】  これら防護立板９８および防護天板９９によって１つの避難ハウスを形成することができる。一方、避難ステージ９６上にはモルタル床１０３を施してその内部に床暖房線１０４を敷設しておくことでソーラー発電や蓄電による電力で床暖房をすることができるようになっている。これらにより、一次避難時に避難者が守られることになる。尚、１０５はシールである。手摺９５の高さは造られる室内において避難者が立って移動できる程度に、例えば、２ｍ前後にする。図５に示すように、手摺９５の内側に押さえ柱１０７と内柱１０８を固定設置して互いを補強部材１０９で連結しておき、押さえ柱１０７と手摺９５間に防護立板９８を差し入れるようにする一方、内柱１０８には掴み環１１０を備えておいて高く来た津波でも押し流されないようにすることができる。
【００１４】  図６の実施形態は、地中杭１１４とコンクリート基礎１１５および調整ジョイント１１６とを有して立設された４本など複数本（３本・６本…などでもよい）の支柱１１７を横梁１１８で相互連結するとともに上端に横梁と外周枠およびステージ床とでもって避難ステージ１１９を固定してその外周りに手摺１２０を立設してなる津波避難施設であって、地上から避難ステージ１１９まで避難者を導くための階段を、大人用の階段１２２と子供用の階段１２３とで構成し、特にコスト安を考慮して左右並列配置としたものである。大人用の階段１２２の一方の側桁と子供用の階段の一方の側桁とは共通１枚ものとしてある。そして子供用と前記共通１枚の側桁からは低い手摺１２４を、また大人用の側桁からは大人用の高い手摺１２５を立設してある。尚、同避難施設には、地盤内に打設した地中杭１１４を利用して施設躯体側との間に複数本の牽きワイヤ１２６を張設することができ、これらのワイヤ１２６は例えば、図６の左方向からくる津波とその隋流物をそこで受け止めて施設にダイレクトに衝撃負荷がかかることを阻止するとともに仮に施設に負荷がかかったとしても転倒防止するために機能する。尚、１２１は踊り場、ａは斜交補強部材で、補強部材ａは、各階の階段に対しＸ字状をなす関係で横梁１１８間に配備してある。
また、図６の左側に示すものは、津波Ｘおよび隋流物が津波避難施設にダイレクトに衝当しないように前方において受け止めるようにする緩衝杭である。この緩衝杭は、緩衝杭本体１２８と安定化梁１２９で構成されている。緩衝杭本体１２８は、四角パイプの縦パイプ１２８ａと、その下端前側とそれより少し上方の背面の２個所に溶接固定された受けパイプ１２８ｂとを有する。受けパイプ１２８ｂは短い四角なパイプで、この受けパイプ１２８ｂには、四角で長い横向きの安定化梁１２９が差し込まれて止着具にて固定されるようになっている。緩衝杭本体１２８と安定化梁１２９とは分解した状態でコンパクトに運搬でき現場で立体的に組み立てることができる。受けパイプ１２８ｂを介して安定化梁１２９を結合しているので、剛強である。津波Ｘの負荷がかかると安定化梁１２９には緩衝杭本体１２８から離れる方向でなく近づく方向に力がかかるようになっている。緩衝杭本体１２８・安定化梁１２９は丸あるいはＨ形さらにはアングル形などを採用することがある。
【００１５】  図７の実施形態は、大人用の階段１２２と子供用の階段１２３との間に側桁を兼ねるＵ字鋼あるいはアルミ合金製滑り台１２７を設けたものである。この滑り台１２７は本来の遊戯用の他に、階段部分の補強になる。この滑り台１２７は、地上から２階床高さ間のみに限定して安全性を確保する場合がある。
【００１６】  平面図である図８およびその正面図である図９は他の実施形態を示す。各階床壁１３０を有するビル（避難用ビル）１３１は、その屋上に屋上避難階段装置１３２と手摺１３２を備えて津波に対処しているが、想定高さを超える津波が襲来した際にはこうした従来の簡易型手摺１３２では耐え切れず避難した人は流されてしまうおそれがある。そこで、これらの図に示すように、屋上床壁１３４の中央位置に主柱１３５を建てその基部回りに周階段１３６を備えて補強するとともに外周にラセン階段１３７を設けてその上端の強固な避難ハウス１３８内に逃げ込め一時避難生活も可能なように構成してある。一時避難生活のためには、前記したような風雨避け機能は勿論のこと床暖房や換気システムを完備するとともに食糧や飲料を確保できるように備蓄しておくものとする。また、必要電力はソーラー発電や蓄電により行うものとし、非常時のための発電用エンジンなども装備するものとする。
【００１７】  こうした施設には、コーナーアンカー１３９と主柱１３５間を結ぶＸ字状の基礎梁１４０と、同梁１４０と避難ハウス１３８とを斜材である支持梁１４１とを設けて避難ハウス１３８を安定保持するとともに、牽きワイヤ１４２を備えてさらに安定保持するようにする。避難ハウス１３８は円錐屋根付きの丸筒状であるが、図９の右欄に示すような三角筒状、あるいは四角筒状など形状は限定されない。また、主柱１３５は、ビル１３１の中央を屋上から地盤下まで伸びる安定柱にすることが大地震、大津波には有効である。
【００１８】  図１０ないし図１２に示す実施形態は、マンションなどを含むビル１４５を津波の襲来から有効に護るための一例で、ビル１４５の前後に対応する地盤個所から前後一対ずつの支柱１４６を立上げ、その途中高さから突設した受材１４７をビル１４５の前後面に取付けて支持させるとともに、支柱１４６の上端間を四辺を形成するように上枠１４８で連結構築してある。さらに、上枠１４８上には屋根躯体１４９を形成してその上面に図示しない屋根材を覆設するものとする。ビル１４５の屋上面には避難部１５０を設けてある。この避難部１５０は避難ハウスタイプにしてもよい。さらに、図３０のように、支柱１４６は斜材１５１や牽きワイヤ１５２で安定補強をしてもよい。
【００１９】  図１３および図１４に示す実施形態は、マンションなどを含む横長型で海に面するビル１５４を津波の襲来から有効に護るための一例を示す。ビル１５４には、矢印Ｘのような押し波と矢印Ｙのような引き波とが襲来することが想定されている。ビル１５４の前後の地盤上には、上から見てくの字あるいは弓なり配置をなすようにして高伸物である対抗杭１５５…が配列されている。これらにはそれぞれビル面側に斜材１５６が補強材として設けられている。また、対抗杭１５５の相互間には、減災板１５７やネット１５８が張られて図１３の矢印のように津波を左右に分けて流すようにしてある。減災板１５７やネット１５８は図１３のように前方凸型に湾曲する形式にすると強度があるし、流れを助長しやすい。
尚、前後の杭１５５は図３２の仮想線のように高くして、杭１５５同士を図１３の仮想線のように前後間連結材１５９で連結することがある。
【００２０】  図１５に示す実施形態は、マンションなどを含むビル１６１の側面に四角枠と補強部材および外支え部材とを有する側面補強躯体１６２を連結配備して津波からビル１６１を防護するようにしてものである。こうした側面補強躯体１６２で防護されたビル１６１を図示のように一定に離間した状態で複数並列配置した場合、津波が襲来してきてもその間を抜けて護られる。尚、図示のように上連結躯体１６３でビル相互あるいは側面補強躯体１６２の対向するもの同士を相互連結すればビル１６１の防護はより有効なものになる。
【００２１】  図１６ないし図１８に示す実施形態は、マンションなどを含むビル１６６の屋上に津波・洪水の避難施設を設けたものである。１６７は取付ブラケット、１６８は４本の支柱で、これら支柱１６８はビル１６６の前後壁面上端縁に固定され、それらの上に平面矩形をした下枠１６９を構築してあるとともに、屋根躯体１７０を設けて屋根覆設材１７１や側面覆設材１７２などにより屋上の避難ハウスを構築してある。この避難ハウスは、屋上面を利用して１階の避難場所にする他、２階避難場所１７３も構成することで多くの人が避難と一時避難生活ができるようになっている。尚、一時避難生活のためには、前記したような風雨避け機能は勿論のこと床暖房や換気システムを完備するとともに食糧や飲料を確保できるように備蓄しておくものとする。また、必要電力はソーラー発電や蓄電により行うものとし、非常安全策として発電用エンジンなども付帯装備するものとする。１７４は階段である。また、津波が越えてきた場合に対処して酸素吸入手段も常備しておき、救命用具も備え付けるものとする。
【００２２】  図１９に示す実施形態は、ビル１７７の屋上に避難用内階段装置１７８と避難用外階段装置１７９とを併設したものについてのものである。ビル１７７に津波用としての外階段装置１７９を設けておくと安全便利ではあるが、平時に登ってこられては内階段装置１７８を通じてビル１７７内に侵入してくるおそれもあって防犯上好ましくない。そこで屋上を外階段装置１７９側と内階段装置１７８側とに分けてそうしたことが起こらないように配慮した。
【００２３】  １８０は仕切り体、１８１は仕切りフェンスで、これらにより屋上は相互に行き来できないように２分されている。１８２はドア、１８３は備蓄品（トイレなどの設備も含む）で、仕切り体１８０の内空間が備蓄用ともされている。１８４は二次避難施設で、支柱１８５・階段１８６・避難ステージ（避難ハウスも含む）１８７で構成されている。この避難ステージ１８７上にも仕切りネット１８８が設けられている。
【００２４】  図２０および図２１は他の実施形態を示す。同実施形態は、図１、図２、図６などの避難施設や一般住宅、集合住宅やマンションなどの建造物の津波Ｘの襲来が想定される前方に離れて固定設置されて漂流物や津波Ｘを前段階において受け留めることで避難施設に直接の被害が及ばないようにするための防護装置に関する。
【００２５】  １９０は地盤、１９１は地盤１９０内に予め埋設される管杭、１９２は左右一対の防護支柱であって、これらは１９１，１９２は丸あるいは角パイプにより形成されて防護支柱１９２は管杭１９１内にその基部が差し込まれるようになっている。管杭１９１あるいは防護支柱１９２を直接埋め込むための穴の掘削方法は、図２０のａのように各管杭１９１に合わせて丸穴にしたりｂのように矩形穴にすることができる。
【００２６】  １９３は横ガードで、防護支柱１９２にそれぞれ嵌め合わせる丸筒状の外筒１９４の一対と、それらの間に渡されて固着された湾曲状（くの字曲げ状も含む）の突状ガード１９５とでなる。横ガード１９３は、止着具１９６により防護支柱１９２に適宜高さにおいて固定される。この横ガード１９３は上下に離間して複数段設けられて突状ガード１９５に突設の掛け具１９７…を介してロープ・チェーンなどの張設材１９８が掛け付けられている。張設材１９８はターンバックルを介して引張設置してもよい。防護支柱１９２は、地盤１９０からの高さは、一般住宅であれば２〜３ｍ、図１のような高い避難施設であれば５〜８ｍのように設定されるが、これに限定されるものではない。尚、防護支柱１９２には、同支柱１９２から高く伸びた状態に設定される細いあるいは太いパイプが接続されることがある。突状ガード１９５は前向きに凸状とされているので、漂流物がぶつかってきても強く抵抗する。
【００２７】  図２２は他の実施形態を示す。同実施形態の防護装置は、防護支柱１９２の上下段に横ガード１９３を備え付け張設材１９８を張設したユニットを掘削穴ｂ内に設置して水平および垂直性を調整したあと埋め戻すことにより防護装置を立設固定するようにしたものである。先に１つの横ガード１９３を掘削穴ｂの底に設置して水平状態を調整したあと、その外筒１９４内に防護支柱１９２を差し込んで止着具１９６で下段の横ガード１９３と防護支柱１９２を連結し、そのあとで上段の横ガード１９３を防護支柱１９２に差し込んで止着具１９６にて同ガード１９３を固定し、さらに張設材１９８を張るようにして最後に埋め戻すように施工してもよい。下段に横ガード１９３を備え付けた２本の防護支柱１９２を掘削穴ｂ内に設置したあとその垂直性を調整してのち上段の横ガード１９３および張設材１９８を備えて埋め戻すように施工することも可能である。図２０、図２１を含む図２２の防護装置は、更に横ガード１９３あるいはそれより短めの連結ガード１９９で相互連結することができる。
【００２８】  図２３および図２４は他の実施形態を示す。同実施形態は、一般住宅を津波の襲来から護るための防護装置についてのもので、内柱２０１を備える家屋２０２の津波が襲来するコーナー外側に一対の防護支柱２０３を立設し、これら防護支柱２０３の上下段に横ガード２０４を備え付けたものである。横ガード２０４は、止着具２０５を備えた外筒２０６の一対とその間に平面くの字形の突状ガード２０７とでなる。家屋２０２側には、アングル型の基板ａと上下一対の突板ｂとでなる連結ブラケット２０８をコーチスクリュウなどの止着具２０５により上下に離間して装着し、同ブラケット２０８は、突板ｂ間に突状ガード２０７を挟むようにして止着具２０５により横ガード２０４に連結してある。下部のブラケット２０８は家屋の柱以外に土台にも止め付けるようにしてある。防護支柱２０３は、基盤２１０内に直接埋め込み立設してもよいし、図示のように管杭２１１を予め埋め込んでおいてそれに差し込むようにしてもよい。
尚、防護支柱２０３や外筒２０６などは角筒にしてもよい。
また、図２３の左側に示すように、同様の防護支柱２０３や横ガード２０４を使用して家屋２０２の前方を防護するようにしてもよい。２１２は他の連結ブラケットである。
さらに、上下の横ガード２０３間には、前記したような張設材１９８を張ってもよい。
【００２９】  図２５ないし図２８は津波避難施設についての他の実施形態を示し、特に、津波避難施設の外周防護装置に関する。
避難施設は本体として、４本の支柱３００を備え、これらの支柱３００は、フランジ３０１を下端に備えて図示しないコンクリート基礎上にアンカー固定されるかあるいは打設される基礎パイプに接続されて全体が下向きに緩やかに拡がる形で固設される。これらの支柱３００は、丸パイプであるが角パイプやＨ形鋼などでもよい。
【００３０】  支柱３００は、上下２段階にわたって横連結材３０２で結合されるとともに、その上端には避難ハウス３０３が設けられている。避難ハウス３０３は、津波からの避難時に臨時的に避難生活が可能にするためのもので、その蓄電機能を備えた太陽光発電システムを有する。同システムを利用して避難を可能とする簡易エレベータ３０４を地上との間に備える。図示しない階段を登降手段として備えることがある。
尚、支柱３００は垂直に設けることがある。
【００３１】  ３０５は防護リングで、丸パイプを支柱３００の外周を通るように大きなリング状に形成したもので、そのリングは一体ものである場合と複数の分割体を接合して１つのリング体にする場合の双方を含む。分割体は、９０度、１２０度あるいは１８０度の円弧分で形成される。この防護リング３０５は、支柱３００の外周において上段の横連結材３０２と同じ高さとなるように水平に配置されるとともに、各支柱３００に対して接続手段３０６を介して結合されている。また、防護リング３０５の４ヶ所からは斜め下向きに支柱３００よりも少し開く形で伸びるリング支柱３０７が４本設けられている。このリング支柱３０７は、支柱３００の外側に重なる位置関係になっている。３０８は下端フランジで、コンクリート基礎に結合されるが、打設基礎パイプに結合される場合もある。
尚、接続手段３０６は、２本のパイプでなるが、１本でもよく、また、図２８の右欄に示すように、突片と止着具の組み合わせによってもよい。
また、防護リング３０５は、上からみて四辺形をしたものにしてもよい。
さらに、リング支柱３０７は、図２５に示すように、押し波や引き波に有効に対抗するように追加してもよい。
【００３２】  津波が襲来したとき、リング支柱３０７および防護リング３０５は避難施設本体を外周囲において防護し、例えば、一方から来る津波や漂流物の負荷を防護リング３０５を伝達手段として他の接続手段３０６から他の支柱３００に伝えることで負荷の分散を図り津波から施設を有効に護るように機能する。
【符号の説明】
【００３３】  ６１…支柱  ６２…横梁  ６３…階段（登降手段）  ６４…避難ハウス。
【図１】
2013127193.tif 000003
【図２】
2013127193.tif 000004
【図３】
2013127193.tif 000005
【図４】
2013127193.tif 000006
【図５】
2013127193.tif 000007
【図６】
2013127193.tif 000008
【図７】
2013127193.tif 000009
【図８】
2013127193.tif 000010
【図９】
2013127193.tif 000011
【図１０】
2013127193.tif 000012
【図１１】
2013127193.tif 000013
【図１２】
2013127193.tif 000014
【図１３】
2013127193.tif 000015
【図１４】
2013127193.tif 000016
【図１５】
2013127193.tif 000017
【図１６】
2013127193.tif 000018
【図１７】
2013127193.tif 000019
【図１８】
2013127193.tif 000020
【図１９】
2013127193.tif 000021
【図２０】
2013127193.tif 000022
【図２１】
2013127193.tif 000023
【図２２】
2013127193.tif 000024
【図２３】
2013127193.tif 000025
【図２４】
2013127193.tif 000026
【図２５】
2013127193.tif 000027
【図２６】
2013127193.tif 000028
【図２７】
2013127193.tif 000029
【図２８】
2013127193.tif 000030